(57)【要約】【課題】  機器の検査の際に、作業員による作業の簡略化を可能とする。【解決手段】  情報処理装置１は、検査対象機器３に、所定のパターンで動作させるためのテストパターン信号を送信する。検査対象機器３では、制御部３０は、テストパターン信号を受信したことに基づいて、駆動部３２に動作を実行させ、駆動部３２がどのような動作内容を実行したかについて信号を生成し、当該信号をモニタ装置２へと送信する。モニタ装置２では、受信した信号に基づいたパターンの画像が表示部２２に表示される。そして、画像処理部１２に、表示部２２に表示されたパターン画像をカメラ１６に撮影させ、当該パターン画像を解析させることにより、制御部１０が、検査対象機器３が実行した動作内容を特定し、特定した動作内容が、上記した所定のパターンと一致しているかどうかを判断し、その結果を、表示部１４に表示させる。【選択図】        図１
2006005568.tif 000002
【特許請求の範囲】
【請求項１】
駆動手段を備えた機器の動作内容を検査する機器検査システムであって、
前記機器に、所定のパターンで前記駆動手段を動作させるための信号であるテストパターン信号を送信する送信手段と、
前記機器から送信される信号を受信する受信手段と、
第１の数以上の数の画像を表示する表示手段と、
前記受信手段の受信した信号に基づいて画像の階調を選択し、前記選択された階調の画像を前記表示手段に表示させる、表示制御手段と、
前記表示手段の表示する画像を撮像する撮像手段と、
前記撮像手段の撮影した画像を処理することにより、前記表示手段の表示する画像の階調を決定する階調決定手段と、
画像の階調と前記駆動手段の動作パターンとを関連付けて記憶する記憶手段と、
前記階調決定手段の決定した階調と前記記憶手段の記憶内容とに基づいて、前記表示手段の表示する画像に対応する前記駆動手段の動作パターンを決定する動作パターン決定手段と、
前記動作パターン決定手段が決定した動作パターンと前記所定のパターンとを比較し、これらが異なる場合には、その旨を報知する報知手段とを備え、
前記受信手段の受信する信号は、第１の数の桁数の数であって第２の数の進数の数を特定するデータであり、
前記表示制御手段は、前記受信手段の受信した信号に基づいて、前記第１の数の画像のそれぞれの階調を、前記受信手段の受信した信号で特定される第２の数の進数の数の中の対応する桁の数で特定される階調に決定し、
前記階調決定手段は、前記表示手段に表示される各画像の中の一部分の画像を処理することにより、各前記画像の階調を決定する、機器検査システム。
【請求項２】
駆動手段を備える信号出力機器であって、
外部の装置から送信される、前記駆動手段を所定のパターンで動作させるための信号であるテストパターン信号を受信する受信手段と、
前記テストパターン信号と前記駆動手段に対する制御信号とを関連付けて記憶する記憶手段と、
前記記憶手段されている制御信号から、前記受信手段の受信した前記テストパターンに対応する前記制御信号を選択する選択手段と、
前記選択手段の選択した制御信号に基づいて前記駆動手段の動作を制御する制御手段と、
前記駆動手段が実行した動作に基づいた信号を生成する信号生成手段と、
前記信号生成手段の生成した信号を前記外部の装置に送信する送信手段と、
前記信号生成手段の生成する信号を、第１の数の桁数の数であって第２の数の進数の数を特定するデータに変換する変換手段とを備え、
前記送信手段は、前記変換手段によって変換されたデータを、前記信号生成手段の生成した信号として前記外部の装置に送信する、信号出力機器。
【請求項３】
駆動手段を備えた機器の動作内容を検査する機器検査システムであって、
前記機器に、所定のパターンで前記駆動手段を動作させるための信号であるテストパターン信号を送信する送信手段と、
前記機器から送信される信号を受信する受信手段と、
画像を表示する表示手段と、
前記受信手段の受信した信号に基づいて画像の階調を選択し、前記選択された階調の画像を前記表示手段に表示させる、表示制御手段と、
前記表示手段の表示する画像を撮像する撮像手段と、
前記撮像手段の撮影した画像を処理することにより、前記表示手段の表示する画像の階調を決定する階調決定手段と、
画像の階調と前記駆動手段の動作パターンとを関連付けて記憶する記憶手段と、
前記階調決定手段の決定した階調と前記記憶手段の記憶内容とに基づいて、前記表示手段の表示する画像に対応する前記駆動手段の動作パターンを決定する動作パターン決定手段と、
前記動作パターン決定手段が決定した動作パターンと前記所定のパターンとを比較し、これらが異なる場合には、その旨を報知する報知手段とを備える、機器検査システム。
【請求項４】
前記受信手段の受信する信号は、第１の数の桁数の数であって第２の数の進数の数を特定するデータであり、
前記表示手段は、前記第１の数以上の数の画像を表示し、
前記表示制御手段は、前記受信手段の受信した信号に基づいて、前記第１の数の画像のそれぞれの階調を、前記受信手段の受信した信号で特定される第２の数の進数の数の中の対応する桁の数で特定される階調に決定する、請求項３に記載の機器検査システム。
【請求項５】
前記階調決定手段は、前記表示手段に表示される各画像の中の一部分の画像を処理することにより、各前記画像の階調を決定する、請求項４に記載の機器検査システム。
【請求項６】
駆動手段を備える信号出力機器であって、
外部の装置から送信される、前記駆動手段を所定のパターンで動作させるための信号であるテストパターン信号を受信する受信手段と、
前記テストパターン信号と前記駆動手段に対する制御信号とを関連付けて記憶する記憶手段と、
前記記憶手段されている制御信号から、前記受信手段の受信した前記テストパターンに対応する前記制御信号を選択する選択手段と、
前記選択手段の選択した制御信号に基づいて前記駆動手段の動作を制御する制御手段と、
前記駆動手段が実行した動作に基づいた信号を生成する信号生成手段と、
前記信号生成手段の生成した信号を前記外部の装置に送信する送信手段とを備える、信号出力機器。
【請求項７】
前記信号生成手段の生成する信号を、第１の数の桁数の数であって第２の数の進数の数を特定するデータに変換する変換手段をさらに備え、
前記送信手段は、前記変換手段によって変換されたデータを、前記信号生成手段の生成した信号として前記外部の装置に送信する、請求項６に記載の信号出力機器。
【請求項８】
駆動手段を備えた機器の動作内容を検査する方法であって、
前記機器に、所定のパターンで前記駆動手段を動作させるための信号であるテストパターン信号を送信するステップと、
前記機器から送信される信号を受信するステップと、
前記受信した信号に基づいて画像の階調を選択し、前記選択された階調の画像を表示させるステップと、
前記表示させる画像を撮像するステップと、
前記撮影した画像を処理することにより、前記表示された画像の階調を決定するステップと、
画像の階調と前記駆動手段の動作パターンとの関係を記憶するステップと、
前記決定された階調と前記記憶された関係とに基づいて、前記表示された画像に対応する前記駆動手段の動作パターンを決定するステップと、
前記決定された動作パターンと前記所定のパターンとを比較し、これらが異なる場合には、その旨を報知するステップとを備える、機器検査方法。
【発明の詳細な説明】
【技術分野】
【０００１】
本発明は、機器検査システム、信号出力機器、および、機器検査方法に関し、特に、機器の検査に関し効率化を図ることができる機器検査システム、信号出力機器、および、機器検査方法に関する。
【背景技術】
【０００２】
従来の機器の検査や調整を行なう方法の中には、モニタ装置に、当該機器の状態を表示させるものがあった。
【０００３】
たとえば、特許文献１には、調整すべき機器にＣＲＴ（cathode-ray tube）をセットし、当該機器に所定のテストパターン信号を送った際にＣＲＴに映し出される画像をカメラで撮影し、当該カメラで撮影した映像信号をモニタ装置に送り、さらに、基準用のテストパターン信号をモニタ装置に送ることにより、モニタ装置において、調整すべき機器に基づいた映像と基準用のテストパターンに基づいた映像とを比較することによって機器の調整を行なう技術が開示されている。
【特許文献１】特開平９−１６８１７３号公報
【発明の開示】
【発明が解決しようとする課題】
【０００４】
しかしながら、従来の方法では、作業員が、モニタ装置において出力される２つの映像を見て検査し、当該検査結果に基づいて、機器の調整を行なう必要があった。
【０００５】
機器の検査を含めた種々の工程において、作業員自身によって実行される作業の簡略化は、常に、望まれていることである。そして、上記したような従来の方法においても、まだまだ作業員自身が出力される映像に基づいて検査を行なっていることから、当該作業員による作業の簡略化が望まれていた。
【０００６】
本発明は、かかる実情に鑑み考え出されたものであり、その目的は、作業員による作業の簡略化が可能な、機器検査システム、信号出力機器、および、機器検査方法を提供することである。
【課題を解決するための手段】
【０００７】
本発明のある局面に従った機器検査システムは、駆動手段を備えた機器の動作内容を検査する機器検査システムであって、前記機器に、所定のパターンで前記駆動手段を動作させるための信号であるテストパターン信号を送信する送信手段と、前記機器から送信される信号を受信する受信手段と、第１の数以上の数の画像を表示する表示手段と、前記受信手段の受信した信号に基づいて画像の階調を選択し、前記選択された階調の画像を前記表示手段に表示させる、表示制御手段と、前記表示手段の表示する画像を撮像する撮像手段と、前記撮像手段の撮影した画像を処理することにより、前記表示手段の表示する画像の階調を決定する階調決定手段と、画像の階調と前記駆動手段の動作パターンとを関連付けて記憶する記憶手段と、前記階調決定手段の決定した階調と前記記憶手段の記憶内容とに基づいて、前記表示手段の表示する画像に対応する前記駆動手段の動作パターンを決定する動作パターン決定手段と、前記動作パターン決定手段が決定した動作パターンと前記所定のパターンとを比較し、これらが異なる場合には、その旨を報知する報知手段とを備え、前記受信手段の受信する信号は、第１の数の桁数の数であって第２の数の進数の数を特定するデータであり、前記表示制御手段は、前記受信手段の受信した信号に基づいて、前記第１の数の画像のそれぞれの階調を、前記受信手段の受信した信号で特定される第２の数の進数の数の中の対応する桁の数で特定される階調に決定し、前記階調決定手段は、前記表示手段に表示される各画像の中の一部分の画像を処理することにより、各前記画像の階調を決定することを特徴とする。
【０００８】
本発明にある局面に従った信号出力機器は、駆動手段を備える信号出力機器であって、外部の装置から送信される、前記駆動手段を所定のパターンで動作させるための信号であるテストパターン信号を受信する受信手段と、前記テストパターン信号と前記駆動手段に対する制御信号とを関連付けて記憶する記憶手段と、前記記憶手段されている制御信号から、前記受信手段の受信した前記テストパターンに対応する前記制御信号を選択する選択手段と、前記選択手段の選択した制御信号に基づいて前記駆動手段の動作を制御する制御手段と、前記駆動手段が実行した動作に基づいた信号を生成する信号生成手段と、前記信号生成手段の生成した信号を前記外部の装置に送信する送信手段と、前記信号生成手段の生成する信号を、第１の数の桁数の数であって第２の数の進数の数を特定するデータに変換する変換手段とを備え、前記送信手段は、前記変換手段によって変換されたデータを、前記信号生成手段の生成した信号として前記外部の装置に送信することを特徴とする。
【０００９】
本発明の他の局面に従った機器検査システムは、駆動手段を備えた機器の動作内容を検査する機器検査システムであって、前記機器に、所定のパターンで前記駆動手段を動作させるための信号であるテストパターン信号を送信する送信手段と、前記機器から送信される信号を受信する受信手段と、画像を表示する表示手段と、前記受信手段の受信した信号に基づいて画像の階調を選択し、前記選択された階調の画像を前記表示手段に表示させる、表示制御手段と、前記表示手段の表示する画像を撮像する撮像手段と、前記撮像手段の撮影した画像を処理することにより、前記表示手段の表示する画像の階調を決定する階調決定手段と、画像の階調と前記駆動手段の動作パターンとを関連付けて記憶する記憶手段と、前記階調決定手段の決定した階調と前記記憶手段の記憶内容とに基づいて、前記表示手段の表示する画像に対応する前記駆動手段の動作パターンを決定する動作パターン決定手段と、前記動作パターン決定手段が決定した動作パターンと前記所定のパターンとを比較し、これらが異なる場合には、その旨を報知する報知手段とを備えることを特徴とする。
【００１０】
また、本発明に従った機器検査システムでは、前記受信手段の受信する信号は、第１の数の桁数の数であって第２の数の進数の数を特定するデータであり、前記表示手段は、前記第１の数以上の数の画像を表示し、前記表示制御手段は、前記受信手段の受信した信号に基づいて、前記第１の数の画像のそれぞれの階調を、前記受信手段の受信した信号で特定される第２の数の進数の数の中の対応する桁の数で特定される階調に決定することが好ましい。
【００１１】
また、本発明に従った機器検査システムでは、前記階調決定手段は、前記表示手段に表示される各画像の中の一部分の画像を処理することにより、各前記画像の階調を決定することが好ましい。
【００１２】
本発明の他の局面に従った信号出力機器は、駆動手段を備える信号出力機器であって、外部の装置から送信される、前記駆動手段を所定のパターンで動作させるための信号であるテストパターン信号を受信する受信手段と、前記テストパターン信号と前記駆動手段に対する制御信号とを関連付けて記憶する記憶手段と、前記記憶手段されている制御信号から、前記受信手段の受信した前記テストパターンに対応する前記制御信号を選択する選択手段と、前記選択手段の選択した制御信号に基づいて前記駆動手段の動作を制御する制御手段と、前記駆動手段が実行した動作に基づいた信号を生成する信号生成手段と、前記信号生成手段の生成した信号を前記外部の装置に送信する送信手段とを備えることを特徴とする。
【００１３】
また、本発明に従った信号出力機器は、前記信号生成手段の生成する信号を、第１の数の桁数の数であって第２の数の進数の数を特定するデータに変換する変換手段をさらに備え、前記送信手段は、前記変換手段によって変換されたデータを、前記信号生成手段の生成した信号として前記外部の装置に送信することが好ましい。
【００１４】
本発明に従った機器検査方法は、駆動手段を備えた機器の動作内容を検査する方法であって、前記機器に、所定のパターンで前記駆動手段を動作させるための信号であるテストパターン信号を送信するステップと、前記機器から送信される信号を受信するステップと、前記受信した信号に基づいて画像の階調を選択し、前記選択された階調の画像を表示させるステップと、前記表示させる画像を撮像するステップと、前記撮影した画像を処理することにより、前記表示された画像の階調を決定するステップと、画像の階調と前記駆動手段の動作パターンとの関係を記憶するステップと、前記決定された階調と前記記憶された関係とに基づいて、前記表示された画像に対応する前記駆動手段の動作パターンを決定するステップと、前記決定された動作パターンと前記所定のパターンとを比較し、これらが異なる場合には、その旨を報知するステップとを備えることを特徴とする。
【発明の効果】
【００１５】
本発明によると、機器検査システムでは、検査対象となる機器（信号出力機器）に対して所定のパターンで動作させるための信号であるテストパターンを送信し、そして、当該機器から出力された信号に基づいて表示された画像を処理することにより、当該機器が所定のパターンで動作したかどうかをチェックすることができる。これにより、機器検査システムは、検査対象となる機器の検査結果までを出力できるため、作業員に検査結果を出させる必要がなくなる。したがって、作業員による作業の簡略化を図ることができる。
【００１６】
なお、機器から出力された信号に基づいて表示される画像は、階調表現が可能なため、画像の数に対して、比較的多くの情報を持つことができる。したがって、機器検査システムでは、機器の検査に対応できるような多くの情報についてのチェックが可能になる。
【００１７】
また、本発明によると、信号出力機器は、外部の装置から受信した信号に基づいて動作をし、その結果を、信号として、外部の装置に出力することができる。このため、信号出力装置は、外部の装置に対して、当該外部の装置が送信してきた信号に対してどのような動作を行なったかを、信号として、出力することができる。これにより、外部の装置に、信号出力機器の検査の結果を判断させることができるため、作業員に信号出力機器の検査の結果を判断させる必要がなくなる。したがって、作業員による作業の簡略化を図ることができる。
【発明を実施するための最良の形態】
【００１８】
以下、図面を参照しつつ、本発明の実施の形態を説明する。
【００１９】
図１は、本発明に従った機器検査システムおよび当該機器検査システムの検査対象（デバッグ対象）とされる機器の制御ブロック図である。
【００２０】
図１を参照して、機器検査システムは、検査対象機器３を検査するためのシステムである。そして、機器検査システムは、情報処理装置１とモニタ装置２とから構成される。
【００２１】
情報処理装置１は、当該情報処理装置１の動作を全体的に制御する制御部１０と、制御部１０の実行するプログラムや種々のデータを記憶するメモリ１１と、カメラ１６と、カメラ１６の撮影する画像の処理を行なう画像処理部１２と、画像を表示する表示部１４と、外部の機器に対して情報を送信するための送信部１５と、外部から情報を入力するための操作部１７とを備えている。
【００２２】
モニタ装置２は、当該モニタ装置２の動作を全体的に制御する制御部２０と、制御部２０の実行するプログラムや種々のデータを記憶するメモリ２１と、画像を表示する表示部２２と、外部の装置から送信される情報を受信するための受信部２３とを備えている。
【００２３】
情報処理装置１では、カメラ１６は、表示部２２の表示画面に対して、固定されている。具体的には、たとえば、カメラ１６は、ＣＣＤ（charge-coupled device）カメラで構成され、その表面にゴム状の吸盤を取り付けられ、表示部２２に対して当該吸盤を吸着させることにより、表示部２２の表示画面に対して固定されている。
【００２４】
検査対象機器３は、たとえば映像出力装置等の機器からなり、当該検査対象機器３の動作を全体的に制御する制御部３０と、制御部３０の実行するプログラムや種々のデータを記憶するメモリ３１と、当該検査対象機器３の本来の動作（映像出力装置であれば映像を出力する動作）を実行するための駆動部３２と、外部から送信される情報を受信する受信部３３と、外部に情報を送信するための送信部３４とを備えている。
【００２５】
本実施の形態では、まず、情報処理装置１から検査対象機器３に対して、所定のパターンで動作させるためのテストパターン信号が送信される。次に、検査対象機器３は、テストパターン信号を受信したことに基づいて、駆動部３２に動作を実行させる。なお、検査対象機器３では、制御部３０は、駆動部３２の実行した動作内容を監視し、フラグを用いて、具体的にどのような動作内容が実行されたかを管理する。そして、制御部３０は、駆動部３２がどのような動作内容を実行したかについて信号を生成し、当該信号を、モニタ装置２へと送信する。モニタ装置２では、受信した信号に基づいたパターンの画像が表示部２２に表示される。なお、このパターン画像は、階調表現が可能とされている。そして、情報処理装置１は、表示部２２に表示されたパターン画像をカメラ１６によって撮影することにより画像処理部１２に導入し、画像処理部１２で、パターン画像を解析することにより、検査対象機器３が実行した動作内容を特定する。そして、情報処理装置１は、特定した動作内容が、上記した所定のパターンと一致しているかどうかを判断し、その結果を、表示部１４に表示する等して報知する。これにより、検査対象機器３が情報処理装置１から送信されたテストパターン信号に従った動作を実行できているかどうかが、情報処理装置１において報知されることになる。つまり、このようにして、本実施の形態では、検査対象機器３の検査が行なわれる。
【００２６】
次に、上記のような検査対象機器３の検査が行なわれる際の、具体的な処理内容について、図２および図３を参照して説明する。図２および図３は、検査対象機器３の検査の際に、情報処理装置１が実行する検査処理、モニタ装置２が実行する映像出力処理、および、検査対象機器３が実行する被検査処理のフローチャートである。
【００２７】
情報処理装置１において、ステップＳＡ１（以下、「ステップ」を省略する）で、情報処理装置１の制御部１０は、まず、検査を開始する条件が成立したか否かを判断し、当該条件が成立したと判断すると、ＳＡ２に処理を進める。この条件とは、操作部１７を介して所定の情報が入力されたこととすることができる。
【００２８】
ＳＡ２では、制御部１０は、検査対象機器３に対し、テストパターン信号を送信する。テストパターン信号とは、上記したように、検査対象機器３を所定のパターンで動作させるための信号である。所定のパターンとは、たとえば、検査対象機器３がＤＶＤ（digital versatile disc）プレーヤ等のディスク再生装置であれば、再生、再生停止、早送り、早送り停止、レジューム（待機状態で待機）という、一連の動作を挙げることができる。また、当該テストパターン信号は、検査対象機器３の機種ごとに、メモリ１１に格納されており、信号処理部１３で処理された後、送信部１５を介して送信される。
【００２９】
一方、検査対象機器３は、情報処理装置１の送信したテストパターン信号を受信するために待機した状態にある。そして、検査対象機器３の制御部３０は、ＳＢ１で、当該信号を受信したと判断すると、ＳＢ２に処理を進める。
【００３０】
ＳＢ２では、制御部３０は、受信したテストパターン信号を、駆動部３２を制御するための制御信号に変換する。なお、この変換は、メモリ３１に記憶された変換テーブルが参照されることにより、実行される。
【００３１】
次に、制御部３０は、ＳＢ３で、ＳＢ２で得た制御信号に基づいて駆動部３２を駆動させる。
【００３２】
次に、制御部３０は、ＳＢ４で、駆動部３２の動作をチェックする。このチェックは、たとえば、上記したように、フラグを用いて行なうことができる。つまり、上記のチェックのための処理としては、たとえば、駆動部３２に再生処理を実行させた場合、再生処理が実行されることによって対応するフラグをセットする等の処理が考えられる。
【００３３】
そして、上記の制御信号に基づいた駆動部３２の駆動が終了すると、次に、制御部３０は、ＳＢ５で、駆動部３２の動作に応じた信号を作成し、さらに、当該信号を４進数の数を特定する信号へと変換する。具体的には、制御部３０は、上記のようにして動作に応じてフラグがセットされた場合に、複数の種類の動作に対応した複数のフラグのＯＮ／ＯＦＦに基づいて２進数の数を特定する信号を生成し、そして、当該２進数の数を特定する信号を４進数の数を特定する信号へと変換する。
【００３４】
そして、ＳＢ６で、ＳＢ５の処理によって得られた４進数の数を特定する信号を、送信部３４を介して、モニタ装置２に対して送信する。
【００３５】
モニタ装置２は、検査対象機器３の送信する信号を受信するために待機した状態にある。そして、モニタ装置２の制御部２０は、ＳＣ１で、当該信号を受信したと判断すると、ＳＣ２に処理を進める。
【００３６】
ＳＣ２では、制御部２０は、４進数の数を特定する信号に基づいて、映像パターンを出力する。ここで、たとえば、４進数の数を「４桁の４進数の数」とすると、制御部２０は、ＳＣ２では、桁数に応じた数の画像のそれぞれを、進数に応じた階調表現を行なって、表示部２２に表示させる。このとき、表示部２２に表示される画像の一例を、図４に示す。
【００３７】
図４を参照して、表示部２２において、検査対象機器３から受信した信号に基づいて表示される画像である映像パターン２２０には、４個の画像２２１〜２２４が含まれる。画像２２１〜２２４は、一色に塗りつぶされており、塗りつぶされた色は、それぞれ階調表現がなされている。制御部２０は、画像２２１〜２２４に対し、４段階で階調表現が可能である。具体的には、図４では、画像２２１、画像２２２、画像２２３、画像２２４の順で、濃くなっており、それぞれ、階調０、１、２、３に対応する。
【００３８】
画像２２１〜２２４の階調は、検査対象機器３から送信される信号に基づく、４桁の４進数の数に対応している。具体的には、制御部２０は、４桁の４進数の数の中の、１桁目の数字が画像２２１の階調に対応させ、２桁目の数字を画像２２２の階調に対応させ、３桁目の数字を画像２２３の階調に対応させ、４桁目の数字を画像２２４の階調に対応させている。
【００３９】
一方、情報処理装置１では、制御部１０は、ＳＡ２でテストパターン信号を送信するための制御を実行した後、ＳＡ３で、画像処理部１２にカメラ１６からの画像の入力状況をチェックする等により、画像処理部１２が、表示部２２で図４に示したような映像パターンが表示されたことを認識したか否かを判断する。そして、映像パターンの認識がなされたと判断すると、ＳＡ４に処理を進める。
【００４０】
ＳＡ４では、制御部１０は、画像処理部１２に、表示部２２に表示されカメラ１６を介して入力された映像パターンに対して画像処理を行なわせることにより、当該映像パターンを、検査対象機器３の駆動部３２が実行した動作パターンに変換する。この変換は、具体的には、制御部１０が、映像パターンを再度４桁の４進数の数に変換し、そして、当該４桁の４進数の数を、制御部３０が生成したような駆動部３２の動作に応じた信号に変換することにより、駆動部３２が実行した動作パターンに変換する。
【００４１】
次に、ＳＡ５で、制御部１０は、ＳＡ４で得られた動作パターンと、上記したようにテストパターン信号によって規定される所定のパターンとを比較する。
【００４２】
そして、ＳＡ６で、制御部１０は、ＳＡ５における比較の結果、駆動部３２の実行した動作に異常動作があったか否か、つまり、ＳＡ４で得られた動作パターンと上記の所定のパターンとに相違点があったか否かを判断する。なお、この場合の相違点が、駆動部３２の実行した動作の中の異常動作ということになる。そして、異常動作があったと判断した場合には、制御部１０は、ＳＡ７で、当該異常動作があった旨を表示部１４に表示させて、ＳＡ１に処理を戻す。一方、異常動作がなかったと判断すると、制御部１０は、ＳＡ８で、表示部１４に、検査対象となった検査対象機器３が正常に動作する旨を表示させて、ＳＡ１に処理を戻す。
【００４３】
以上説明した本実施の形態では、表示部２２で表示される映像パターンは、４桁の４進数の数に基づいて、表示されていた。具体的には、当該映像パターンは、桁数の数の画像が、進数の数に応じた階調で階調表現をなされて、表示されていた。なお、本発明に従った桁数や進数は、上記の数（ともに「４」）に限定されるものではなく、適宜、変更されても良い。たとえば、検査対象機器３において、ＳＢ５における変換の結果、８進数の数を特定する信号が生成されれば、映像パターンにおける各画像は、８階調で階調表現されることが可能となる。また、ＳＢ５における変換の結果、１６桁の数を特定する信号が生成されれば、映像パターンにおける画像の数は、１６個とすることができる。
【００４４】
また、以上説明した本実施の形態において、ＳＡ４において、画像処理部１２は、映像パターンに対して画像処理を行なう際には、図４に示された画像２２１〜２２４について、それぞれの階調を決定するような処理を行なう。なお、この場合、画像処理部１２は、必ずしも、図４に示された画像２２１〜２２４のそれぞれについて、そのすべての領域を画像処理の対象とする必要はなく、画像２２１〜２２４のそれぞれについて、少なくとも、予め定められた、画像処理に必要な最小の領域を対象とすれば良い。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】本発明に従った機器検査システムおよび当該機器検査システムの検査対象とされる機器の制御ブロック図である。
【図２】本実施の形態において、情報処理装置が実行する検査処理、モニタ装置が実行する映像出力処理、および、検査対象機器が実行する被検査処理のフローチャートである。
【図３】本実施の形態において、情報処理装置が実行する検査処理、モニタ装置が実行する映像出力処理、および、検査対象機器が実行する被検査処理のフローチャートである。
【図４】図１のモニタ装置の表示部において表示される映像パターンの一例を示す図である。
【符号の説明】
【００４７】
１  情報処理装置、２  モニタ装置、３  検査対象機器、１０，２０，３０  制御部、１１，２１，３１  メモリ、１２  画像処理部、１３  信号処理部、１４，２２  表示部、１５，３４  送信部、１６  カメラ、１７  操作部、２３，３３  受信部、３２  駆動部。
【図１】
2006005568.tif 000003
【図２】
2006005568.tif 000004
【図３】
2006005568.tif 000005
【図４】
2006005568.tif 000006